(57)【要約】      （修正有）【課題】リレーやヒューズホルダーなど配電盤や回路基板にネジ固定される部品を、産業機器などの配電盤に多用されているＤＩＮレールへ容易に取付け可能とするＤＩＮレール取付け金具を提供する。【解決手段】リレーやヒューズホルダー３０などの配電盤や回路基板にネジ固定される部品で、当該固定ネジの取付け穴が当該部品の中央部分に配置されている部品をＤＩＮレール２０に取付け可能とするための取付け金具１０であって、１枚の板金からなり、中央部に取付け穴３１、両端にＤＩＮレールの上下の羽部分に被る引掛け部２１と被取付け部品の取付け面（底面）との間隙を確保する支点１２を設け、かつ当該金具と当該部品との回転防止機構を有し、当該ネジ３２を締めることにより、リレーやヒューズホルダーなどの部品をＤＩＮレールへ取付け可能とするＤＩＮレール取付け金具である。【選択図】図３
0003212087.tif 000002
【実用新案登録請求の範囲】
【請求項１】
１枚の板金からなり、中央部にネジを切った取付け穴、両端にＤＩＮレールの上下の羽部分に被る引掛け部と被取付け部品の取付け面（底面）との間隙を確保する支点を設け、かつ当該金具と被取付け部品との回転防止機構を有し、当該ネジを締めることにより、リレーやヒューズホルダーなどの部品をＤＩＮレールへ取付け可能とするＤＩＮレール取付け金具。
【請求項２】
取付け穴が絞り加工した角穴で、タップを建てネジ締めを可能とした請求項１に記載のＤＩＮレール取付け金具。
【考案の詳細な説明】
【技術分野】
【０００１】  本考案は、リレーやヒューズホルダーなど配電盤や回路基板にネジ固定される部品を、産業機器などの配電盤に多用されているＤＩＮレールへ容易に取付け可能とするＤＩＮレール取付け金具に関するものである。
【背景技術】
【０００２】  従来、この種のＤＩＮレールへの取付けが可能なリレーやヒューズホルダーは、当該部品本体でＤＩＮレールの羽部分を挟み込むような構造となっているため、ＤＩＮレールの幅よりも部品長さが長くなり、形状が大きくなってしまい、当該部品をＤＩＮレール以外で使用する場合においては、取付け面積が大きくなること、及びＤＩＮレール取付け以外では不要なＤＩＮレール固定部品などが常備しておりコストアップとなる欠点がある。
【考案の概要】
【考案が解決しようとする課題】
【０００３】  例えば、管形ヒューズのヒューズホルダーにおいては、管形ヒューズのＩＥＣ規格における長さは概ね２０ｍｍ及び３２ｍｍあり、ＤＩＮレールの幅３５ｍｍよりも狭いことから、ＤＩＮレール取付けを想定しないヒューズホルダーの長さは３５ｍｍ程度である。一方、従来のＤＩＮレール取付けを前提とするヒューズホルダーでは、ＤＩＮレールの羽部を挟み込む形状となるため、長さはＤＩＮレールの幅３５ｍｍを超える寸法となり、ＤＩＮレール取付け以外の用途では大きさが課題である。【０００４】  また、従来のＤＩＮレール取付けを前提とするヒューズホルダーなどでは、ＤＩＮレール取付け以外では不要なＤＩＮレール固定部品などが常備しているためにコストアップとなる課題がある。
【課題を解決するための手段】
【０００５】  本考案は部品点数が少なく、組立が容易なＤＩＮレールへの取付け金具を提供することを目的とし、上記従来の課題を解決するもので、以下の構成を有するものである。【０００６】  本考案の請求項１に記載の考案は、１枚の板金からなり、中央部にネジを切った取付け穴、両端にＤＩＮレールの上下の羽部分に被る引掛け部と被取付け部品の取付け面（底面）との間隙を確保する支点を設け、かつ当該金具と被取付け部品との回転防止機構を有し、当該ネジを締めることにより、リレーやヒューズホルダーなどの部品をＤＩＮレールへ取付け可能とするＤＩＮレール取付け金具であって、リレーやヒューズホルダーとは別体の部品であり、ＤＩＮレールへ当該リレーやヒューズホルダーなどを取付ける場合に組合せて使用する部品である。【０００７】  本考案の請求項２に記載の考案は、取付け穴が絞り加工した角穴で、タップを建てネジ締めを可能とした請求項１に記載のＤＩＮレール取付け金具である。
【考案の効果】
【０００８】  これにより本考案になるＤＩＮレール取付け金具は、組立が容易であり、リレーやヒューズホルダーとは別体であることから、当該部品をＤＩＮレール取付けとしない場合において、当該部品本体にＤＩＮレール取付けのための専用部品をあらかじめ具備しておく必要がなく、その分コストダウンが可能であり、当該部品がＤＩＮレールよりも小型であっても取付けが可能となる作用効果がある。【０００９】  また、本考案の請求項２に記載の考案では、当該取付け金具の板厚が薄い場合においても板材が破れずにネジを切ることができ、別部品のナットが不要となり、組立がしやすく、コストダウンともなる作用効果がある。
【図面の簡単な説明】
【００１０】
【図１】ＤＩＮレール取付け金具１０をＤＩＮレール２０へ取付けた状態図の平面図
【図２】図１の側面図
【図３】ヒューズホルダー３０のＤＩＮレール２０への取付け状態図の側面図
【考案を実施するための形態】
【００１１】  以下に本考案の請求項１及び２に記載の考案を、その一実施例を示す図面を用いて説明する。
【実施例１】
【００１２】  図１は本考案になるＤＩＮレール取付け金具１０をＤＩＮレール２０へ取付けた状態図の平面図、図２は図１の側面図である。また、図３は被取付け部品であるヒューズホルダー３０のＤＩＮレール２０への取付け状態図の側面図である。【００１３】  ＤＩＮレール取付け金具１０は、長手方向の端部にヒューズホルダーの取付け支点１２が設けられているとともに曲げ部１５を設け、この部分がＤＩＮレール２０の引掛け部２１に被るような形状となっており、バネ性を持つ金属板をプレス（切断、穴あけ、絞り、曲げ、タッピング）加工にて製作する。【００１４】  ＤＩＮレール取付け金具１０のスリット部１１は、ヒューズホルダーの取付け支点１２を構成し易くするために設けたものである。【００１５】  また、ＤＩＮレール取付け金具１０の中心部の角穴１３にはヒューズホルダー３０をネジ３２により固定するためのタッピングネジ１４が切られている。【００１６】  ヒューズホルダー３０の底面は、湾曲させ高さを基台長手方向の中心より両端面に向け漸増させる構造であり、ＤＩＮレール取付け金具１０の両端の曲げ部１５をＤＩＮレール２０の引掛け部２１に被せ、この上からヒューズホルダー３０の底面をＤＩＮレール取付け金具１０に被せて、ヒューズホルダー３０の中央部のネジ穴３１に取付けネジ３２を入れ、当該ネジ３２を締め付けることによりＤＩＮレール取付け金具１０が湾曲しＤＩＮレール２０の引掛け部２１を締め付けることによりＤＩＮレール２０へ固定されるとともに、ＤＩＮレール取付け金具１０の湾曲部がヒューズホルダー３０の底面の曲面に沿って密着することでヒューズホルダー３０のより確実な固定が可能となる。【００１７】  ＤＩＮレール取付け金具１０とヒューズホルダー３０とは、ＤＩＮレール取付け金具１０両端の取付け支点１２とヒューズホルダー３０の底面、及び中央の取付けネジ３２のネジ締め部とで接し固定しているが、当該取付け支点１２がヒューズホルダー３０の溝部３３と嵌合することで、取付けネジ３２を締め付けた後のヒューズホルダー３０の回転を防止することが可能となる。
【符号の説明】
【００１８】１０  ＤＩＮレール取付け金具
１１  ＤＩＮレール取付け金具のスリット部
１２  ＤＩＮレール取付け金具の取付け支点
１３  ＤＩＮレール取付け金具の角穴
１４  ＤＩＮレール取付け金具角穴のタッピングネジ
１５  ＤＩＮレール取付け金具両端の曲げ部
１６  ＤＩＮレール取付け金具の着脱ハンドル部
２０  ＤＩＮレール
２１  ＤＩＮレールの引掛け部
３０  ヒューズホルダー
３１  ヒューズホルダーの取付けネジ穴
３２  ヒューズホルダーの取付けネジ
３３  ヒューズホルダーの溝部
【図１】
0003212087.tif 000003
【図２】
0003212087.tif 000004
【図３】
0003212087.tif 000005